(57)【要約】【課題】洗浄水の噴出量が洗浄水流出部近傍に近づくにしたがって減少することなく、効率よく汚物を洗い落とすことが可能で、ボウル面が水垢や汚物で汚れることを防げる清潔な水洗便器を提供する。【解決手段】便器のボウル面を構成するボウル内壁１と便器本体を構成するボウル外壁２とを上縁３で結合するとともに、該上縁３の下方をリム４で結合して該リム４を底部とするリム通水路Ｐを便器の上部略全周に内設し、上記リム通水路Ｐの側壁部分であるボウル内壁１に複数の射水孔５を設けてなる便器であって、上記射水孔５は洗浄水流入部６近傍では上記ボウル内壁１の上部に設けられ、洗浄水流出部６１に近付くにしたがって段下がりに下方に位置するように設けられた水洗便器Ａ。【選択図】図２
2007169935.tif 000002
【特許請求の範囲】
【請求項１】
便器のボウル面を構成するボウル内壁と便器本体を構成するボウル外壁とを上縁で結合するとともに、該上縁の下方をリムで結合して該リムを底部とするリム通水路を便器の上部略全周に内設し、上記リム通水路の側壁部分であるボウル内壁に複数の射水孔を設けてなる便器であって、上記射水孔は洗浄水流入部近傍では上記ボウル内壁の上部に設けられ、洗浄水流出部に近付くにしたがって段下がりに下方に位置するように設けられた水洗便器。
【請求項２】
上記複数の射水孔がボウル内壁を斜め下方に傾斜して貫いて設けられた貫通孔である請求項１に記載の水洗便器。
【請求項３】
上記洗浄水流出部の底面最下点に水抜き孔を設けるとともに、この水抜き孔に水抜き管が接続された請求項１に記載の水洗便器。
【発明の詳細な説明】
【技術分野】
【０００１】
本発明は、水洗便器に関する。さらに詳しくは、水洗便器のボウル面上部の略全周に洗浄水の射水孔を設けた水洗便器の構造に関する。
【背景技術】
【０００２】
従来から、住宅等のトイレルームには、種々の水洗便器が用いられているが、それらの水洗便器は洗浄水の吐出方式の違いによって大別される。例えば、下記特許文献１にはボウル面の上縁略全周に設けられたリム通水路の底部に複数の射水孔を下向きに穿った水洗便器が示されている。また、図５の部分断面斜視図に示す公知の水洗便器Ｂにおいては、リム通水路Ｑの底部とボウル面の凸部との間に凹部９が形成され、洗浄水はこの凸部に一旦当たった後、ボウル面を流下して汚物を洗い流すようにされている。しかしながら、長期の使用によって上記凹部９に水垢が発生したり、汚物が付着して汚れるという問題が生じる。さらに、洗浄水の流入部近傍の射水孔では洗浄水が勢いよく噴出するが、洗浄水流出部に近づくにしたがって水圧が低下し、噴出量が少なくなるため、汚物を洗い流す能力が落ちるという問題もある。
【特許文献１】特開平６−１８５１０２号公報（第１〜３頁、第１図、第５図）
【発明の開示】
【発明が解決しようとする課題】
【０００３】
本発明は上記した問題を解決するためになされたものであって、水洗便器の上記凹部に水垢や汚物が付着することなく、かつ、洗浄水の噴出量が洗浄水の流出部近傍に近づくにしたがって減少することなく一定であり、ボウル内の汚物を効率よく洗い流すことのできる水洗便器を提供することを、その課題とする。
【課題を解決するための手段】
【０００４】
上記課題を解決するために、本発明においては、つぎのような技術的手段を講じている。すなわち、請求項１に記載の発明によれば、便器のボウル面を構成するボウル内壁と便器本体を構成するボウル外壁とを上縁で結合するとともに、該上縁の下方をリムで結合して該リムを底部とするリム通水路を便器の上部略全周に内設し、上記リム通水路の側壁部分であるボウル内壁に複数の射水孔を設けてなる便器であって、上記射水孔は洗浄水流入部近傍では上記ボウル内壁の上部に設けられ、洗浄水流出部に近付くにしたがって段下がりに下方に位置するように設けられた水洗便器が提供される。
【０００５】
請求項２に記載の水洗便器は、請求項１に記載の発明に加えて、上記複数の射水孔がボウル内壁を斜め下方に傾斜して貫いて設けられた貫通孔とされる。さらに、上記射水孔は、斜め下方に傾斜するとともに、洗浄水が斜め下方前方に噴出するように、貫設されることが好ましい。
【０００６】
請求項３に記載の水洗便器は、請求項１に記載の発明に加えて、洗浄水流出部の底面最下点に水抜き孔を設けるとともに、この水抜き孔に水抜き管が接続される。
【発明の効果】
【０００７】
請求項１に記載の発明にかかる水洗便器は上記のとおりであり、ボウル内壁とボウル外壁とを上縁で結合し、該上縁の下方をリムで結合して該リムを底部とするリム通水路が便器上部の略全周に内設され、上記リム通水路の側壁部分であるボウル内壁に複数の射水孔を設けてなり、上記射水孔は洗浄水流入部近傍では上記ボウル内壁の上部に設けられ、洗浄水流出部に近付くにしたがって段下がりに下方に設けられ、リム通水路内の洗浄水の水位に合う位置に射水孔が貫設されているため、射水孔には水切れすることなく常に洗浄水が供給され、一定量の洗浄水で効率よく汚物を流すことができる。
【０００８】
請求項２に記載の水洗便器は上記のとおりであり、請求項１の水洗便器の有する効果に加え、上記ボウル内壁に複数の射水孔が斜め下方に傾斜し、好ましくは、斜め下方前方に開口する貫通孔とすることにより、洗浄水が勢いよく斜め下方前方に噴出して、便器ボウル面で旋回流を形成し、便器ボウル内の汚物の付着し易い領域を効率よく洗浄することができる。
【０００９】
請求項３に記載の水洗便器は上記のとおりであり、請求項１の水洗便器の有する効果に加え、洗浄水流出部の底面最下点に水抜き孔を設けるとともに、この水抜き孔に水抜き管が接続されているため、洗浄後、余分の洗浄水はこの水抜き管を経て便器トラップへ排出されるため、洗浄水を流し終えた後、リム通水路内に洗浄水が滞留することを防げる。
【発明を実施するための最良の形態】
【００１０】
以下、本発明の実施形態について図面を参照して、詳細に説明する。図１は本発明にかかる水洗便器Ａを示す部分断面斜視図であり、該水洗便器Ａの上部の略全周に内設されるリム通水路Ｐは断面で示されている。図１に示すように、上記リム通水路Ｐは、便器のボウル面を構成するボウル内壁１と便器本体を構成するボウル外壁２とを上縁３で結合し、上縁３の下方でボウル内壁１とボウル外壁２とを上記リム４で結合して形成されている。また、上記ボウル内壁１のリム通水路Ｐの側壁部分には複数の射水孔５が貫設されている。
【００１１】
図２は、リム通水路Ｐの側壁部分に複数の射水孔５が穿たれた本発明にかかる水洗便器Ａを示す斜視図である。これらの射水孔５は給水管７からの洗浄水が流入する洗浄水流入部６近傍では上記ボウル内壁１の上部に設けられるとともに、洗浄水流出部６１に近付くにしたがって下方に位置するように段下がりに設けられている。図２において、洗浄水がリム通水路ｐ内に放出されたとき、洗浄水流入部６近傍では洗浄水のリム通水路Ｐ内での水位が高いため、この水位に合わせて射水孔５１は、ボウル内壁１の上部に貫設されている。
【００１２】
図３は、図２におけるＸ−Ｘ線に沿う部分断面図である。図３に示されるように、上記射水孔５１はボウル内壁１を斜め下方に傾斜して貫いて設けられているため、洗浄水は勢いよく下方に噴出し、便器ボウル内の汚物を流すことができる。このとき、射水孔５１を、斜め下方前方に開口するように貫設すれば、洗浄水は勢いよく斜め下方前方に噴出して、便器ボウル面で旋回流を形成し、便器ボウル内の汚物の付着し易い領域を効率よく洗浄することができる。
【００１３】
上記したように、洗浄水流出部６１近傍においては、リム通水路Ｐ内での洗浄水の水位が低くなっているため、その水位に合わせて射水孔５２はリム通水路Ｐの側壁の低い部分に貫設されている。したがって、水切れすることなく、常に洗浄水が供給されるため、射水孔５２からの洗浄水は上記した高い部分に位置する射水孔５１からの洗浄水と同様に、勢いよく噴出し、便器ボウル内の汚物を効率的に流すことができる。
【００１４】
図４は、本発明にかかる水洗便器Ａを示す側断面図である。図４において、洗浄水は、リム通水路Ｐの側壁部分に貫設された複数の射水孔５から噴出した後、洗浄水流出部６１に達するとともに、余剰の洗浄水は、洗浄水流出部６１の底面最下点に設けられた水抜き孔６１１から、この水抜き孔６１１に接続された水抜き管８を経て便器トラップに排水される。
【００１５】
このように、本発明にかかる水洗便器Ａにおいては、便器のボウル面がボウル内壁１で構成されているため、従来技術にみられた凹部９（図５）が形成されることはない。したがって、水洗便器Ａのボウル面に水垢や汚物が付着することがなく、また、汚物を効率よく洗い流すことができるため、便器を常に清潔な状態に保つことができる。
【図面の簡単な説明】
【００１６】
【図１】本発明にかかる水洗便器を示す部分断面斜視図である。
【図２】本発明にかかる水洗便器を示す斜視図である。
【図３】図２におけるＸ−Ｘ線に沿う部分断面図である。
【図４】本発明にかかる水洗便器を示す部分断面側面図である。
【図５】公知の水洗便器を示す部分断面斜視図である。
【符号の説明】
【００１７】
Ａ          本発明にかかる水洗便器
Ｐ          本発明にかかる水洗便器のリム通水路
Ｂ          公知の水洗便器
Ｑ          公知の水洗便器のリム通水路
１          ボウル内壁
２          ボウル外壁
３          上縁
４          リム
５          射水孔
５１        洗浄水流入部近傍に設けられた射水孔
５２        洗浄水流出部近傍に設けられた射水孔
６          洗浄水流入部
６１        洗浄水流出部
６１１      水抜き孔
７          給水管
８          水抜き管
９          公知技術における凹部
【図１】
2007169935.tif 000003
【図２】
2007169935.tif 000004
【図３】
2007169935.tif 000005
【図４】
2007169935.tif 000006
【図５】
2007169935.tif 000007